(57)【要約】【課題】取付孔周辺を簡易に防水できる防水アンカーを提供すること。【解決手段】  筒状部材と、筒状部材の内部に押し入れる棒状部材からなるアンカーにおいて、筒状部材の内側後方に防水剤を封入したカプセルを設けた。使用前の防水アンカーを取付孔に差し入れ、筒状部材に棒状部材を挿入すると、まずカプセルが棒状部材により破裂し、棒状部材の挿入にしたがってカプセル内部から防水剤が流出する。カプセルから流出した防水剤は、筒状部材に形成された流出孔を通り防水アンカーと取付孔の隙間に流れ込む。棒状部材が更に筒状部材内に挿入され、仕切り壁に到達すると、カプセル内の防水剤はほとんど全て防水アンカーの外部に流出され、防水アンカーと取付孔の隙間に充填される。そして更に棒状部材を押し入れると、棒状部材は仕切り壁を破り、内径が狭い先方に移動して、切り込みを開き、先端部分を径方向に拡大させて、取付孔の内面に固着される。【選択図】図１
2008014049.tif 000002
【特許請求の範囲】
【請求項１】
筒状部材の内部に棒状部材を挿入し、前記筒状部材の先方を径方向に拡げて取付孔の内面に固着するアンカーにおいて、
前記筒状部材の内部後方に防水剤入りのカプセルを具え、前記棒状部材の前記筒状部材への挿入により前記カプセルが破裂し、前記取付孔の開口部に前記防水剤が付与されることとした防水アンカー。
【請求項２】
筒状部材の側壁後方に、前記防水剤が流通する流出孔を具え、前記カプセルから流出された防水剤が、該流出孔を通って該筒状部材の外に流れ出る請求項１に記載の防水アンカー。
【請求項３】
前記筒状部材の後端に、該筒状部材の径方向に広がるつば部を設けた請求項１または２に記載の防水アンカー。
【請求項４】
前記筒状部材の内部に、カプセルを保持する仕切り板を、該筒状部材の先方と後方の境に設けた請求項１〜３のいずれか１項に記載の防水アンカー。
【発明の詳細な説明】
【技術分野】
【０００１】
本発明は、防水剤を具え、取付孔への取り付け作業によりアンカー周囲を防水剤で簡易に塞ぐことができる防水アンカーに関する。
【背景技術】
【０００２】
アンカーは、筒状部材の先方に軸方向に延びる切れ込みを具え、その筒状部材を取付孔に挿入した状態で筒状部材の内側に棒状の部材を押し入れて筒状部材の先方を径方向に拡げ、取付孔に固着させる取り付け金具である。
【０００３】
例えば、取付けステーをコンクリート壁に固定する場合を例に説明すると、ドリルなどを用いてまず取付孔をコンクリート壁に設け、取付けステーの固定孔に筒状部材を通した上で取付孔に挿入する。そして、筒状部材の内部に棒状部材を押し入れ、筒状部材の先方を拡げて取付孔にアンカーを固着し、取付けステーをコンクリート壁に固定させていた。
【０００４】
【特許文献１】特開平２−８９８０６号公報
【発明の開示】
【発明が解決しようとする課題】
【０００５】
しかしながらアンカーは、アンカーの先端が拡がり取付孔の内面に固着するので、取付孔の開口部付近には、アンカーと取付孔の内面との間に隙間が生じることがある。この隙間に雨水などが浸入すると、取付孔の内面を変質させたり、あるいは内部で凍結して取付孔を損傷させてしまうことがある。
【０００６】
そのためコーキング剤など防水剤を取付孔に注入した後アンカーを取付孔に取り付けたり、アンカーを取付孔に固着させた後、アンカー頭部に防水剤を塗布したりしていたが、かかる作業は、個々のアンカーにそれぞれ個別に行わなければならず、手間がかかっていた。
【０００７】
また、接着剤を封入したカプセルを取付孔の内部で破裂させて、接着剤で固定力を補強するようにしたアンカーが知られているが、接着剤は主に取付孔の奥に供給されて固化するので、接着剤を用いても取付孔の開口部付近には隙間が残ることがあった。
【０００８】
本発明は、取付孔周辺を簡易に防水できる防水アンカーを提供することを目的とする。
【課題を解決するための手段】
【０００９】
本発明は、上記目的を解決するため防水アンカーを次のように構成した。
【００１０】
筒状部材と、筒状部材の内部に押し入れる棒状部材からなるアンカーにおいて、筒状部材の内側後方に防水剤を封入したカプセルを設けることとした。
【００１１】
筒状部材は、先方の内径が狭く、かつ先方には軸方向に延びる切り込みが設けてあり、棒状部材が押し入れられると先端部分が径方向に拡がるように形成してある。尚、切れ込みの数は特に限定しない。筒状部材の内部には、ほぼ中央に仕切り壁が形成してあり、筒状部材の後方から筒状部材の内部にカプセルを押し入れると仕切り壁に突き当たり保持される。筒状部材の材質は、合成樹脂、金属、木など特に限定しない。
質は
【００１２】
カプセルは、例えば樹脂製容器であり、筒状部材に収納した場合に筒状部材からはみ出ることのない大きさ、形状を有している。カプセルの内部には防水剤が封入してあり、棒状部材を筒状部材に押し入れると、棒状部材によりカプセルの外壁は容易に破裂するように構成されている。尚カプセルは十分な強度を有し、防水アンカーの通常の運搬、保管等において破裂して内容物が漏出することはない。
【００１３】
棒状部材は、ねじであるが、外周面に螺条のない円筒体で、ハンマーで打ち込むものでもよい。材質は、合成樹脂でも金属でもよい。また棒状部材の先端は、尖っていることが、カプセルを破裂させる点から好ましい。
【００１４】
筒状部材の側壁後方には、流出孔が設けられている。流出孔は、破裂したカプセルから防水剤が流出した際、防水剤が通過し、防水アンカーの外に防水剤が流れ出るようになっている。また流出孔は、棒状部材が筒状部材に押し入れられた場合でも、棒状部材で閉鎖されることがないよう適宜側壁の長手方向に沿って形成されている。
【００１５】
カプセルは、筒状部材を合成樹脂等で成形した後、筒状部材の内部に個々に挿入する。挿入したカプセルは、筒状部材の内面との間の摩擦で抜け止めしても、筒状部材の内面に突起を設けて掛かり止めしても、蓋材を筒状部材に取り付けて落下防止するようにしてもよい。防水剤は、例えばシリコンゴムなどからなり、取付孔と防水アンカーとの間に形成された隙間に充填されると隙間への水分の侵入を防止する作用を有している。
【００１６】
次に、防水アンカーの作用について説明する。
【００１７】
使用前の防水アンカーを取付孔に差し入れ、筒状部材に棒状部材を挿入すると、まずカプセルが棒状部材により破裂し、棒状部材の挿入にしたがってカプセル内部から防水剤が流出する。カプセルから流出した防水剤は、筒状部材に形成された流出孔を通り防水アンカーと取付孔の隙間に流れ込む。棒状部材が更に筒状部材内に挿入され、仕切り壁に到達すると、カプセル内の防水剤はほとんど全て防水アンカーの外部に流出され、防水アンカーと取付孔の隙間に充填される。そして更に棒状部材を押し入れると、棒状部材は仕切り壁を破り、内径が狭い先方に移動して、切り込みを開き、先端部分を径方向に拡大させて、取付孔の内面に固着される。
【発明の効果】
【００１８】
本発明の防水アンカーによれば、筒状部材内に棒状部材を挿入して取付孔に固着させると、防水剤がカプセルから流出し、防水剤により防水アンカーの周囲に防水処理がなされる。かかる処理は、棒状部材を押し入れるという通常のアンカー固定作業で行われることから、防水処理を施したアンカーを取付孔に容易に固定することができる。
【００１９】
また本発明の防水アンカーは、従来と同様の構成を有するアンカーに、防水剤を封入したカプセルを取り付けるだけでよいことから、製造が簡易で、安価に提供できる。
【発明を実施するための最良の形態】
【００２０】
本発明にかかる壁体の一実施形態について説明する。
【００２１】
図１に、防水アンカー２を示す。防水アンカー２は、合成樹脂製の筒状部材４と棒状部材としての金属製のねじ６とカプセル８から構成してある。
【００２２】
筒状部材４は、底面図である図４にも示すように円筒状で、後方（図１における上方）につば部１０を具え、先方に切り込み１２が形成してある。つば部１０は、円板上に外方に突出しており、その内側は円錐状に形成してある。切り込み１２は、筒状部材４の先端からほぼ中程まで、筒状部材４の軸に沿って形成してある。また筒状部材４の後方には、筒状部材４の内外を貫通した流出孔５が設けてある。
【００２３】
筒状部材４の内部には、図２に示すように仕切り壁１４が設けてある。筒状部材４の内面は、後端から仕切り壁１４までは、ねじ６の外径よりわずかに細いだけで、仕切り壁１４から先端までは、ねじ６の外径より細く形成してある。また仕切り壁１４は、ねじ６により容易に破断される厚みとなっている。
【００２４】
カプセル８は、合成樹脂製で、内部にシリコンゴムなどからなる防水剤３が封入してある。カプセル８は、筒状部材４の後方に収納される形状、あるいは収納可能に変形する材質から形成してあり、筒状部材４の後方からカプセル８を挿入し、仕切り壁１４にその先端を当接させると、カプセル８の後端が筒状部材４の後端より少し内側に位置するように形成してある。またカプセル８の外壁は、ねじ６を筒状部材４へ押し込むことにより容易に破断される強度に形成してある。
【００２５】
防水剤３は、防水作用を有するゴム状の材質で、ねじ６によりカプセル８の外壁が破断されると、カプセル８の外に流出し、更に流出孔５を通って図５に示すように筒状部材４の外方に流れ出るよう適度な流動性と、付着した位置で固着する適度な硬化性を具えている。
【００２６】
次に、防水アンカー２の特徴について説明する。
【００２７】
筒状部材４は、従来と同様の射出成形等により成形する。カプセル８は、筒状部材４に適合させて製造し、筒状部材４の後方に挿入しておく。ねじ６は、アンカー用の従来のねじを用い、筒状部材４とは別に用意するか、あるいは筒状部材４の後方にカプセル８を損傷させないように軽くねじこんでおく。
【００２８】
図５に、防水アンカー２を用いてステー３４をコンクリート壁３０に取り付けた状態を示す。
【００２９】
かかる例を通して防水アンカー２について説明する。まずコンクリート壁３０に取付孔３２を設け、ステー３４の孔３６を通して防水アンカー２を取付孔３２に挿入する。そしてねじ６を筒状部材４の内部にねじ込む。
【００３０】
ねじ６は、筒状部材４の内面に螺条が食い込み、内部に進行する。そしてねじ６の先端がカプセル８を破断すると、防水剤３がカプセル８から流出する。筒状部材４の内部は仕切り壁１４で仕切られていることから、ねじ６のねじ込みに応じてカプセル８から押し出された防水剤３は流出孔５から防水アンカー２の外に流出する。
【００３１】
流出した防水剤３は、防水アンカー２と取付孔３２の内面との間に流入し、更に防水アンカー２のつば部１０の周囲に付着する。更にねじ６をねじ込むと、ねじ６は仕切り壁１４を突き破り、筒状部材４の先方に進入し、筒状部材４の先方を径方向に拡げて図５に示すように取付孔３２の内面に固着される。
【００３２】
このようにして防水アンカー２を付孔３２に固着すると、ステー３４がつば部１０で押さえられコンクリート壁３０に固定される。そして、防水剤３が取付孔３２の開口部付近に付着し、適度に硬化することにより、取付孔３０に防水処理が施される。
【００３３】
したがって上記防水アンカー２によれば、従来のアンカーと同様の取り付け作業を行うことにより、取付孔３０に防水処理を施すことができ、防水機能を有するアンカーを簡易に取り付けることができる。また防水アンカー２は、従来と同様のアンカーにカプセルを組み付けるだけであるので、安価に提供できる。
【図面の簡単な説明】
【００３４】
【図１】本発明にかかる防水アンカーの一実施形態を示す部分正面図である。
【図２】筒状部材を示す断面図である。
【図３】筒状部材を示す側面図である。
【図４】筒状部材を示す底面図である。
【図５】防水アンカーの使用状態を示す断面図である。
【図６】筒状部材に示した斜視図である。
【符号の説明】
【００３５】
２    防水アンカー
３    防水剤
４    筒状部材
５    流出孔
６    ねじ
８    カプセル
１０  つば部
１２  切り込み
１４  仕切り壁
３０  コンクリート壁
３２  取付孔
３４  ステー
３６  固定孔
【図１】
2008014049.tif 000003
【図２】
2008014049.tif 000004
【図３】
2008014049.tif 000005
【図４】
2008014049.tif 000006
【図５】
2008014049.tif 000007
【図６】
2008014049.tif 000008